(57)【特許請求の範囲】
【請求項１】
間柱により支持される多数の金属パネルを連結して構成される壁体であって、表面と、その反対側の裏面とを有し、表面は、各パネル間に形成される縦方向の目地部を除いてほぼ平滑に形成されるものにおいて、壁体の開口を開閉するために設けられるドアパネルの施解錠機構であって；隣接する間柱のうち一方の間柱にヒンジで吊られ、隣接間柱間の前記開口を開閉可能なドアパネルと；内部に錠収容空間を有して、他方の間柱に固定され、ドアパネルの閉扉時にそれの自由端縁に当接して一連の壁体を構成する受け部材と；この受け部材の前記錠収容空間内に取り付けられ、受け部材とドアパネルとの間を施解錠する錠装置とを具備し；前記ドアパネルは、中空箱状の本体と、この本体の自由端縁から表面を連続させて延出するフランジ部とを具備し；前記受け部材は、閉扉時に前記フランジ部の表面と面一となる表面板部と；フランジ部の端縁との間に縦方向の目地部を形成するように当該端縁と対向する対向縁と；この対向縁に対して段をなして直角に延び、前記ドアパネルの閉扉時にフランジ部の表面を受け部材の表面と面一に配置するようにフランジ部の裏面に当接し、目地部対応位置にキー挿入孔を有する当接板部と；この当接板部に直交して閉扉時に前記ドアパネル本体の自由端縁に平行に対向し、止め金貫通用のスリットを有する端縁板部と；表面と平行で、操作軸孔を有する裏面板部とを具備し；前記錠装置は、鍵穴を前記受け部材のキー挿入孔に対応させ、ロータを裏面側へ延出させて受け部材の錠収容空間内に固着されるピンシリンダ錠と；基端部がロータに固着され、施錠位置において先端部が受け部材の止め金貫通スリットから外方へ延出して閉扉時の前記ドアパネルの自由端縁に係合し、解錠位置において受け部材の内部に収まる止め金板と；前記受け部材の裏面側から操作軸孔を貫通して前記ロータの先端に結合される操作軸を有する操作摘みと；前記目地部を通して前記キー挿入孔からピンシリンダ錠の鍵穴に抜き差しする棒状のキーとを具備することを特徴とするドアパネルの施解錠機構。
【発明の詳細な説明】
【技術分野】
【０００１】
この発明は、間柱により支持される多数の金属パネルを面一に連結して構成される壁体であって、表面は、各パネル間に形成される縦方向の目地部を除いてほぼ平滑に形成されるものにおいて、壁体の開口を開閉するために設けられるドアパネルの施解錠機構に関する。
【背景技術】
【０００２】
建築物において、壁面に多数の金属製パネルを貼り付けて、一面フラットに室内壁を形成するための壁体が用いられることがある。壁面に設備の点検口が開口する部位などでは、壁体にドアパネルを設け、それを、常時人通りのある表面側から一見して連続する壁のような外観とすることが行われる。このようなドアパネルにおいて、閉扉状態ではパネルの外側に施解錠操作用ハンドルのような突出物のない平滑な外観を得られる一方、ドアパネルを外側から容易に施解錠することができる施解錠機構として、特許文献１に記載されたものが提案されている。
【先行技術文献】
【特許文献】
【０００３】
【特許文献１】実用新案登録第３１３３７１４号公報
【発明の概要】
【発明が解決しようとする課題】
【０００４】
上記従来のドアパネルの施解錠機構は、閉扉状態ではパネルの外側（表面側）に表れる部分はほとんどないが、内側（裏面側）には露出する部分が多く、常時通行人の目に触れる部分でないとはいえ、開扉時の外観を損ねるし、周囲の突出部分が開口への出入り作業時に障害となるおそれがある。
したがって、この出願に係る発明は、閉扉状態ではパネルの外側に施解錠操作用ハンドルのような突出物のない平滑な外観を得られる一方、ドアパネルを外側から容易に施解錠することができる施解錠機構であって、開扉時にも開口の周縁部に突出する部分がなく、体裁が良好で、開口への出入り作業時の障害がないものを提供することを目的としている。
【課題を解決するための手段】
【０００５】
以下、添付図面の符号を参照して説明するが、本発明はこれに限定されるものではない。
上記課題を解決するための、この出願に係る発明の施解錠機構１は、間柱Ｃにより支持される多数の金属パネルを連結して構成される壁体Ｗにおいて、開口Ｗ１を開閉するために設けられるドアパネル２に適用される。壁体Ｗの表面Ｗ２は、各パネル間に形成される縦方向の目地部Ｗ４を除いてほぼ一面が平滑に形成される。施解錠機構１は、ドアパネル２と、これを受ける受け部材３と、これら両者間を施解錠する錠装置４とを具備する。ドアパネル２は、隣接する間柱Ｃのうちの一方にヒンジ５で吊られ、隣接間柱Ｃ間の開口Ｗ１を開閉可能である。ドアパネル２は、中空箱状の本体６と、この本体の自由端縁７から表面を連続させて延出するフランジ部８とを具備する構成である。受け部材３は、内部に錠収容空間９を有しており、他方の間柱Ｃに固定され、ドアパネル２の閉扉時にそれのフランジ部８に当接して一連の壁体Ｗを構成する。受け部材３は、表面板部１０、対向縁１１、当接板部１２、端縁板部１３、裏面板部１４を具備し、これらが錠収容空間９を囲む構成である。表面板部１０は、閉扉時にフランジ部８の表面と面一となる。対向縁１１は、フランジ部８の端縁８ａとの間に縦方向の目地部Ｗ４を形成するように、当該端縁８ａと小間隔を置いて対向する。当接板部１２は、対向縁１１に対して段をなして直角に延び、閉扉時にフランジ部８の裏面に当接することで、表面板部１０をフランジ部８の表面と面一に配置する。当接板部１２は、目地部Ｗ４に対応する位置にキー挿入孔１２ａを有する。端縁板部１３は、当接板部１２に直交し、閉扉時にドアパネル本体の自由端縁７に平行に対向し、止め金貫通用のスリット１３ａを有する。裏面板部１４は、表面板部１０の反対側に、これと平行に配置され、錠装置４を操作するための操作軸孔１４ａを有する。錠装置４は、ピンシリンダ錠１５、止め金板１６、操作摘み１７、操作用の棒状キー１８を具備する。ピンシリンダ錠１５は、鍵穴を受け部材のキー挿入孔１２ａに対応させ、ロータ１５ａを裏面側へ延出させて受け部材の錠収容空間９内に固着される。止め金板１６は、基端部がロータ１５ａに固着され、施錠位置において先端部が受け部材の止め金貫通スリット１３ａから外方へ延出して閉扉時のドアパネルの自由端縁７に係合し、解錠位置においては受け部材３の内部に収まる。操作摘み１７は、裏面板部１４の外側から、操作軸孔１４ａを貫通してロータ１５ａの先端に結合される操作軸１７ａを有する。キー１８は、目地部Ｗ４を通してキー挿入孔１２ａからピンシリンダ錠１５の鍵穴に抜き差し、正逆回転によりピンシリンダ錠１５を施解錠操作する。
【発明の効果】
【０００６】
この出願に係る発明の施解錠装置によれば、閉扉状態ではパネルの外側に施解錠操作用ハンドルのような突出物のない平滑な外観を得られる一方、ドアパネルを外側から容易に施解錠することができる。また、開扉時にも、開口の周縁部に突出する部分がなく、外観上の体裁が良好で、開口への出入り作業時に障害物がない。
【図面の簡単な説明】
【０００７】
【図１】本発明の一実施例であるドアパネルの施解錠機構を備えた壁体を閉扉状態において示す横断平面図である。
【図２】図１の壁体における施錠機構の一部の横断平面図である。
【図３】図１の壁体における施錠機構の一部の縦断側面図である。
【図４】図１の壁体における施錠機構の一部の斜視図である。
【図５】図１の壁体における施錠機構の一部の分解斜視図である。
【発明を実施するための形態】
【０００８】
図面を参照してこの発明の実施の形態を説明する。
図１において、間柱Cにより支持される多数の金属パネルを面一に連結して室内壁体Ｗ（図には一部のみを示した。）が構成される。その壁体Ｗの開口Ｗ１を開閉するために、２つの間柱C間にドアパネル２が吊設される。壁体Ｗは、表面Ｗ２と、その反対側の裏面Ｗ３とを有し、表面Ｗ２は、各パネル間に形成される縦方向の目地部Ｗ４を除いて一面がほぼ平滑に形成される。
【０００９】
施解錠機構１は、ドアパネル２と、これを受ける受け部材３との間を施解錠するためのものであり錠装置４を具備する。
【００１０】
ドアパネル２は、隣接する間柱Ｃのうちの一方にヒンジ５で吊られ、隣接間柱間の開口Ｗ１を開閉可能であり、実質的に中空の箱状本体６と、この本体６の自由端縁７から表面を連続させて延出するフランジ部８とを具備する。フランジ部８の裏面側にはパッキング８ｂが固着される。
【００１１】
受け部材３は、内部に錠収容空間９を有して、他方の間柱Ｃに固定され、ドアパネル２の閉扉時にそれのフランジ部８に当接して一連の壁体Ｗを構成する。受け部材３は、図２〜４に示すように、表面板部１０、対向縁１１、当接板部１２、端縁板部１３、裏面板部１４を具備し、これらが間柱Ｃに沿った縦方向の角筒状に錠収容空間９を囲む構成である。
【００１２】
表面板部１０は、閉扉時にドアパネルのフランジ部８が当接板部１２に当接すると、フランジ部８の表面と面一となる。
【００１３】
対向縁１１は、表面板部１０の端縁に直交し閉扉時にフランジ部８の端縁８ａとの間に縦方向の目地部Ｗ４を形成するように、当該端縁と小間隔を置いて対向する。
【００１４】
当接板部１２は、対向縁１１に対して段をなして直角に延び、閉扉時にフランジ部８の裏面に当接することで、表面板部１０をフランジ部８の表面と面一に配置する。当接板部１２は、目地部Ｗ４の対応位置に、錠収容空間9に貫通するキー挿入孔１２ａを有する。
【００１５】
端縁板部１３は、当接板部１２に直交し、閉扉時にドアパネル本体６の自由端縁７に平行に対向し、錠収容空間9に貫通する止め金貫通用のスリット１３ａを有する。
【００１６】
裏面板部１４は、表面板部１１の反対側に、これと平行に配置され、錠収容空間９内の錠装置４を操作するための軸を貫通させる軸孔１４ａを有する。図示の実施形態においては、裏面板部１４は、開口１４ｂを有し、これをカバー板１４ｃで閉じてなる。開口１４ｂは、錠収容空間９内に錠装置４を組み付けるためのものである。そして、カバー板１４ｃに軸孔１４ａが形成されている。
【００１７】
錠装置４は、ピンシリンダ錠１５、止め金板１６、操作摘み１７、操作用の棒状キー１８を具備する。
【００１８】
図２，３，５に示すように、ピンシリンダ錠１５は、鍵穴を受け部材のキー挿入孔１２ａに対応させ、ロータ１５ａを裏面側へ延出させて、受け部材の錠収容空間９内に固着される。図中１９は錠１５の取り付け座で、当接板部１２の内側面のキー挿入孔１２ａに対応する位置に溶着される。錠１５は、押えリング２０と押さえ板２１を介してナット２２で取り付け座１９に固着される。
【００１９】
止め金板１６は、基端部がロータ１５ａに固着され、ロータ１５ａと一体に施錠位置と解錠位置との間を９０度の範囲で正逆回転する。止め金板１６は、施錠位置において先端部が受け部材の止め金貫通スリット１３ａから外方へ延出して閉扉時のドアパネルの自由端縁７に係合し、解錠位置においては受け部材３の内部に収まる。ドアパネル２の自由端縁７には、止め金板１６の先端側を受け入れるスリット７ａが形成される。止め金板１６の基端側には、摺動舌片１６ａが設けられ、それの周縁が、押さえ板２１に固着されたばね板２３に接しており、９０°回転毎にロータ１５ａの回転に抵抗を付与することにより、施錠位置と解錠位置で止め金板１６を保持する。
【００２０】
操作摘み１７は、ロータ１８を受け部材３の裏面側から操作するためのもので、操作軸１７ａを有する。操作軸１７ａは、裏面板部１４の外側から操作軸孔１４ａを貫通してロータ１５ａの先端に結合される。
【００２１】
キー１８は、細い棒状に構成され、目地部Ｗ４を通してキー挿入孔１２ａからピンシリンダ錠１５の鍵穴に挿入可能であり、正逆回転によりピンシリンダ錠１５を施解錠操作する。したがって、閉扉状態において、壁体Ｗの表面側には、目地部Ｗ４内に小さなキー挿入孔１２ａのみが露出することになり、表面の平滑性を損なうことがない。
【００２２】
以上のような構成の本発明の施解錠機構１において、壁体Ｗの表面Ｗ２側からドアパネル２を閉じて施錠する場合は、ドアパネル２をパッキング８ｂの弾力に抗して手で押えて閉扉状態を維持しつつ、目地部Ｗ４の隙間からキー１８を鍵穴に差し込んでピンシリンダ錠１５を施錠方向へ回転させる。これにより、止め金板１６が、ロータ１５ａと一体に、ばね板２３の弾性に抗して施錠位置へ回転し、ドアパネル２のスリット７ａに係合して施錠される。
【００２３】
一方、ドアパネル２の表面側から、解錠する場合は、同様に目地部Ｗ４の隙間から、キー１８を鍵穴に差し込み、解錠方向に回転すると、止め金板１６が、ドアパネル２のスリット７ａから外れ、ドアパネル２がパッキング８ｂの弾力により押されて自動的に開放する。それから、ドアパネル２の縁に手を掛けて、これをさらに大きく開くように操作することができる。ドアパネル２を開放方向へ回転付勢するヒンジを用いて自動開放するようにしてもよい。
【００２４】
なお、ドアパネル２の裏面側から、施解錠する場合は、摘み１７を正逆回転操作すればよい。
【符号の説明】
【００２５】
１    施解錠機構
２    ドアパネル
３    受け部材
４    錠装置
５    ヒンジ
６    ドアパネルの本体
７    ドアパネルの自由端縁
７ａ  スリット
８    ドアパネルのフランジ部
８ａ  フランジ部の端縁
８ｂ  パッキング
９    錠収容空間
１０  表面板部
１１  対向縁
１２  当接板部
１２ａ  キー挿入孔
１３  端縁板部
１３ａ  止め金板貫通スリット
１４  裏面板部
１５  ピンシリンダ錠
１５ａ  ロータ
１６  止め金板
１６ａ  摺動舌片
１７  摘み
１７ａ  操作軸
１８  キー
１９  錠取り付け座
２０  押えリング
２１  押さえ板
２２  ナット
２３  ばね板
Ｃ    間柱
Ｗ    壁体
Ｗ１  開口
Ｗ２  表面
Ｗ３  裏面
Ｗ４  目地
【図１】
0005129845.tif 000002
【図２】
0005129845.tif 000003
【図３】
0005129845.tif 000004
【図４】
0005129845.tif 000005
【図５】
0005129845.tif 000006